(57)【要約】【課題】引戸の下端部が下レール部と直交する方向に移動するのを防止して、引戸が転倒するのを防止できる引戸転倒防止装置を提供すること。【解決手段】引戸枠４の上枠部４ａおよび下枠部４ｂに上レール部６および下レール部７がそれぞれ設けられ、引戸（第1引戸12，第2引戸13）の上端部および下端部が上レール部（６）および下レール部（７）に移動可能に支持されていると共に、引戸（第1引戸12，第2引戸13）の下端部が下レール部（７）と直交する方向に移動するのを規制させる転倒規制部材（引戸転倒防止部品２０，２１）が下レール部（７）の側方に設けられている。【選択図】  図1
2014005611.tif 000002
【特許請求の範囲】
【請求項１】
引戸枠の上枠部および下枠部に上レール部および下レール部がそれぞれ設けられ、引戸の上端部および下端部が前記上レール部および前記下レール部に移動可能に支持されていると共に、
前記引戸の下端部が前記下レール部と直交する方向に移動するのを規制させる転倒規制部材が前記下レール部の側方に設けられていることを特徴とする引戸転倒防止装置。
【請求項２】
請求項１に記載の引戸転倒防止装置において、前記引戸の移動方向において前記引戸枠の半分側方が壁により閉成され、且つ、残りの半分の開口が前記引戸により開閉可能に設けられていると共に、前記開口を前記引戸で閉成したときの前記引戸と前記壁との合わせ部に対応する位置で且つ前記下レール部の前記壁とは反対側の側方に前記転倒規制部材が設けられていることを特徴とする引戸転倒防止装置。
【請求項３】
請求項１に記載の引戸転倒防止装置において、召し合わせにより前記引戸枠を閉成する複数の前記引戸を備え、前記転倒規制部材は前記複数の引戸の召し合わせ部に対応して前記下レール部の両側にそれぞれ設けられていることを特徴とする引戸転倒防止装置。
【請求項４】
請求項３に記載の引戸転倒防止装置において、前記複数の引戸は召し合わせにより前記引戸枠を閉成する第１引戸と第２引戸であり、前記転倒規制部材は前記第１引戸と第２引戸の召し合わせ部に対応して前記下レール部の両側にそれぞれ設けられていることを特徴とする引戸転倒防止装置。
【請求項５】
請求項１〜４のいずれか一つに記載の引戸転倒防止装置において、前記転倒規制部材は、前記下レール部の側方に位置させて床又は引戸枠に固定されたストッパ本体と、前記ストッパ本体を覆う弾性部材製のキャップを備えることを特徴とする引戸転倒防止装置。
【請求項６】
請求項５に記載の引戸転倒防止装置において、前記キャップには前記下レール部とは反対側の部分内に位置させて空間が形成されていることを特徴とする引戸転倒防止装置。
【請求項７】
請求項６に記載の引戸転倒防止装置において、前記キャップはゴム又は合成樹脂から形成されていることを特徴とする引戸転倒防止装置。
【発明の詳細な説明】
【技術分野】
【０００１】
この発明は、建物に設けられる引戸の転倒を防止可能な引戸転倒防止装置に関するものである。
【背景技術】
【０００２】
引戸は、例えば建物の出入口となる開口部に設けられたり、建物の内壁の開口部に間仕切りとして設けられる。この引戸は、開口部の上端部および下端部に設けられた上レール部および下レール部に移動可能に保持されるようになっているのが普通である（例えば、特許文献１参照）。
【特許文献１】特開平５−１１３０７１号公報
【発明の開示】
【発明が解決しようとする課題】
【０００３】
このような引戸の取付構造では、大きな地震等で引戸の下端部が下レール部から側方に外れた場合、引戸の下端が下レール部と直交する方向に大きく移動して引戸が転倒する虞がある。
【０００４】
そこで、この発明は、引戸の下端部が下レール部と直交する方向に移動するのを防止して、引戸が転倒するのを防止できる引戸転倒防止装置を提供することを目的とするものである。
【課題を解決するための手段】
【０００５】
この目的を達成するため、この発明の引戸転倒防止装置は、引戸枠の上枠部および下枠部に上レール部および下レール部がそれぞれ設けられ、引戸の上端部および下端部が前記上レール部および前記下レール部に移動可能に支持されていると共に、前記引戸の下端部が前記下レール部と直交する方向に移動するのを規制させる転倒規制部材が前記下レール部の側方に設けられていることを特徴とする。
【発明の効果】
【０００６】
この構成によれば、引戸の下端部が下レール部と直交する方向に移動するのを防止して、引戸が転倒するのを未然に防止できる。
【図面の簡単な説明】
【０００７】
【図１】住宅等の建物に設けられた引戸および引戸転倒防止装置の配置図である。
【図２】図１のＡ１−Ａ１線に沿う断面図である。
【図３】図１の引戸の上端部と引戸枠の上レール部との関係を示す拡大断面図である。
【図４】図１の引戸の下端部と引戸枠の下レール部との関係を示す拡大断面図である。
【図５】図４の一方の引戸の下端部が側方に移動するのを規制している状態を示す説明図である。
【図６】図４の引戸転倒防止部品のストッパ本体の側面図である。
【図７】図６の右側面図である。
【図８】図７の平面図である。
【図９】図４の引戸転倒防止部品のキャップの側面図である。
【図１０】図９の左側面図である。
【図１１】図９の右側面図である。
【図１２】図１１の平面図である。
【図１３】図１１の底面図である。
【図１４】図１０のＡ２−Ａ２線に沿う断面図である。
【図１５】図１０のＡ３−Ａ３線に沿う断面図である。
【図１６】図１４のＡ４−Ａ４線に沿う断面図である。
【図１７】この発明に係る引戸転倒防止装置の他の例を示すの配置図である。
【図１８】図１７のＡ５−Ａ５線に沿う断面図である。
【発明を実施するための最良の形態】
【０００８】
以下、この発明に係る引戸転倒防止装置が設けられた建物を図面に基づいて説明する。
【０００９】
図１は住宅等の建物に設けられた引戸および引戸転倒防止装置の配置図、図２は図１のＡ１−Ａ１線に沿う断面図、図３は図１の引戸の上端部と引戸枠の上レール部との関係を示す拡大断面図、図４は図１の引戸の下端部と引戸枠の下レール部との関係を示す拡大断面図、図５は図４の一方の引戸の下端部が側方に移動するのを規制している状態を示す説明図である。
【００１０】
図１，図２において１，２は建物の居室である。また、図２において、３は居室１，２間を仕切る内壁（間仕切り壁）、３ａは内壁３に設けられた開口部、４は開口部３ａに嵌め込まれた引戸枠である。
【００１１】
この引戸枠４内には、居室１，２の一方から他方に移動するための移動用開口５が設けられている。また、引戸枠４の上枠部（上端部）４ａには枠部の長手方向両端まで延びる上レール部６が設けられ、引戸枠４の下枠部（下端部）４ｂには枠部の長手方向両端まで延びる下レール部７が設けられている。上レール部６は、図３に示したように、上枠部４ａの長手方向に延びていると共に、互いに平行に且つ幅方向に並設された第1，第2上ガイド溝（第1，第2上レール部）６ａ，６ｂを有する。また、下レール部７は、図４に示したように互いに平行に且つ幅方向に並設された第1，第2下レール部７ａ，７ｂを有する。
【００１２】
第1下レール部７ａは、図４に示したように引戸枠４の下端部（下枠部）に形成され且つ枠部の長手方向両端まで延びるガイド取付溝８と、ガイド取付溝８内に全体に沿うように嵌め込まれた第1下ガイドレール部材９を備えている。この第1下ガイドレール部材９は、上面に長手方向に延びる第1下ガイド溝部９ａを有する。
【００１３】
第２下レール部７ｂは、図４に示したように引戸枠４の下端部（下枠部）に形成され且つ枠部の長手方向両端まで延びるガイド取付溝１０と、ガイド取付溝１０内に全体に沿うように嵌め込まれた第2下ガイドレール部材１１を備えている。この第2下ガイドレール部材１１は、上面に長手方向に延びる第2下ガイド溝部１１ａを有する。
【００１４】
引戸枠４内には、図１，図２に示したように第１，第２引戸１２，１３が配設されている。この第１，第２引戸１２，１３は、図３に示したように上端部に設けられ且つ第1，第2上ガイド溝６ａ，６ｂ内に長手方向に移動可能に挿入された小幅の凸部１２ａ，１３ａと、図４に示したように下端部に設けられ且つ第1，第2下ガイド溝部９ａ，１１ａに長手方向に移動可能に係合させられた戸車１２ｂ，１３ｂを有する。
【００１５】
そして、第１，第２引戸１２，１３は、図２に示したように召し合わせ部Ｂで召し合わせたときに、引戸枠４内の移動用開口５が閉成されて、間仕切りとなる。
【００１６】
居室１，２の床部材１ａ，２ａ上には、引戸転倒防止部品２０，２１が引戸枠４の下枠部４ｂの両側に位置させて転倒規制部材として設けられている。この引戸転倒防止部品２０，２１は、引戸枠４の召し合わせ部Ｂに対応させて、下レール部７の両側に近接して設けられている。
【００１７】
この引戸転倒防止部品２０，２１の構造は同じであるので、引戸転倒防止部品２０の構造について説明し、引戸転倒防止部品２１の引戸転倒防止部品２０と同じ部分又は類似する部分については引戸転倒防止部品２０に付した符号を付して説明は省略する。
【００１８】
引戸転倒防止部品２０は、図４に示したように下枠部４ｂに近接して配設されたＬ字状のストッパ本体２２と、ストッパ本体２２をカバーするキャップ２３を有する。
【００１９】
ストッパ本体２２は、図４，図５に示したようにビス２２ａ２で居室１の床部材１ａに固定された取付板部２２ａと、取付板部２２ａと垂直に側縁に折曲により一体に形成され且つ板面が下レール部７に沿って延びる起立板部（ストッパ部）２２ｂを有する。この取付板部２２ａの角部には図８に示したように大きなＲ状の湾曲部２２ａ１，２２ａ１が形成され、起立板部２２ｂの上縁部の角部には大きなＲ状の湾曲部２２ｂ１，２２ｂ１が形成されている。
【００２０】
また、この起立板部２２ｂの下端部の両側には、Ｌ字状の切欠スリット２２ｂ２，２２ｂ２を形成することにより、撓み片２２ｂ３，２２ｂ３が形成されている。しかも、撓み片２２ｂ３，２２ｂ３の下端部には図７．図８に示したように互いに反対側に突出する円弧状突部２２ｂ４，２２ｂ４が形成されている。この円弧状突部２２ｂ４，２２ｂ４の互いに反対側端間の間隔は、取付板部２２ａの幅よりも僅かに大きく形成されている。
【００２１】
キャップ２３は、ゴム又は軟質の合成樹脂等の弾性部材から形成されていて、図４，図１４〜図１６に示したように下端が開放している。しかも、このキャップ２３は、図４に示したように下レール部７に沿って配設された起立壁２３ａと、起立壁２３ａから反対方向に延びる上壁２３ｂと、上壁２３ｂから下方に向かうに従って起立壁２３ａから離反する方向に傾斜する傾斜壁２３ｃ等から側面形状が略台形状に形成されている。
【００２２】
尚、図９〜図１６に示したように、起立壁２３ａと傾斜壁２３ｃの角部およびキャップ２３の上縁部の幅方向の角部、キャップ２３の側壁２３ｄと傾斜壁２３ｃとの角部には、大きなＲ状の湾曲部２３Ｒが形成されている。
【００２３】
また、キャップ２３内には、図１３に示したように起立壁２３ａに沿って延び且つ図１４に示したように下方に開放する偏平な嵌着空間２４が形成されていると共に、図１３に示したように起立壁２３ａと平行な仕切壁２５及び仕切壁２５と垂直な仕切壁２６を介して区画され且つ下方に開放する一対の中空部２７，２７が形成されている。
【００２４】
そして、図４に示したようにキャップ２３の下端部内にはストッパ本体２２の取付板部２２ａが嵌着され、キャップ２３の嵌着空間２４にはストッパ本体２２の起立板部２２ｂが嵌着されている。
【００２５】
更に、キャップ２３の起立壁２３ａの両側部の下部には図１０，図１３，図１５に示したように孔２８，２８が形成され、キャップ２３の嵌着空間２４の両内側面には図１０，図１３に示したように孔２８，２８から延びる円弧状の係合凹部２８ａ，２８ａが形成されている。そして、係合凹部２８ａ，２８ａには起立板部２２ｂの円弧状突部２２ｂ４，２２ｂ４が係合させることにより、この円弧状突部２２ｂ４，２２ｂ４と係合凹部２８ａ，２８ａはキャップ２３が起立板部２２ｂから上方に抜け外れるのを防止している。尚、この係合状態の図示は省略している。
[作用]
このような構成においては、大きな地震等で建物に作用する振動等により第１，第2引戸１２，１３の下端部に側方への外力が作用することが考えられる。このような外力により第１，第2引戸１２，１３の下端部に設けた戸車１２ｂ，１３ｂが図６に示したように第1，第2下ガイド溝部９ａ，１１ａから側方に外れることもある。
【００２６】
これにより第１，第2引戸１２，１３の下端部が下レール部と直交する方向へ移動し、引戸１２，１３が側方に傾斜しようとした場合、第１，第2引戸１２，１３の上端部に設けられた凸部１２ａ，１３ａが第1，第2上ガイド溝６ａ，６ｂから外れて転倒する前に、図６に示したように第１，第2引戸１２，１３の下端部が引戸転倒防止部品２０，２１に当たって止まる。この結果、第１，第2引戸１２，１３が側方に転倒するのを未然に防止できる。
【００２７】
この引戸転倒防止部品２０，２１は、第１，第2引戸１２，１３の召し合わせ部Ｂに対応して設けられているので、第１，第2引戸１２，１３のスライド開閉位置がいずれにあっても第１，第2引戸１２，１３の転倒を防止できる。
【００２８】
また、引戸転倒防止部品２０，２１のキャップ２３は弾性部材から形成されていると共に、キャップ２３の角部は大きなＲ状に形成されているので、利用者の足等が引戸転倒防止部品２０，２１に当たっても怪我をするのが未然に防止される。
【００２９】
尚、転倒規制部材である引戸転倒防止部品２０，２１は、下枠部４１ｂに設けても良い。
【００３０】
また、第1下レール部７ａはガイド取付溝８と第1下ガイドレール部材９を備え、第2下レール部７ｂはガイド取付溝１０と第2下ガイドレール部材１１を備えている構成としたが、第1下ガイドレール部材９，第2下ガイドレール部材１１は必ずしもこれに限定されるものではない。即ち、特別な形状の第1下ガイドレール部材９，第2下ガイドレール部材１１を設けずに、ガイド取付溝８を第1レール（第1下レール部）とすると共にガイド取付溝１０を第2レール（第2下レール部）としても良い。
【００３１】
更に、第1，第2下レール部は溝ではなく下枠部４ｂから上方に突出且つ下枠部４ｂの長手方向に延びるレール凸部とし、第1，第2引戸１２，１３の下端部に下面に開放し且つレール凸部に係合する下向きガイド凹部として、第1，第2引戸１２，１３をレール凸部と下向きガイド凹部によりスライド移動させるようにしても良い。
（その他１）
以上説明した実施例では、第1，第2引戸１２，１３が設けられた召し合わせ引戸構造および引戸転倒防止装置を居室１，２間を仕切る内壁（間仕切り壁）３に設けた開口部３ａに適用した例を示したが、必ずしもこれに限定されるものではない。
【００３２】
例えば、叙述した第1，第2引戸１，２が設けられた召し合わせ引戸構造および引戸転倒防止装置を玄関や外壁に設けられる出入口に適用することもできる。
（変形例１）
以上説明した実施例では、第１，第2引戸１２，１３を有する召し合わせ引戸構造に一対の引戸転倒防止部品２０，２１を適用した例を示したが、必ずしもこの構成に限定されるものではな。例えば、図１７に示したような一つの引戸のみからなる引戸構造に発明に係る引戸転倒防止装置を適用しても良い。
【００３３】
この図１７では、居室１，２間を仕切る内壁（間仕切り壁）３に開口部３ａが設けられている。
【００３４】
そして、引戸構造の引戸枠４１は、引戸１４を有する。引戸４１には、図１７に示したように利用者が移動するための移動用開口５が設けられている。また、図１８に示したように、引戸枠４１の上枠部４１ａ，下枠部４１ｂにはそれぞれレール用枠部３１ｂの上端部および下端部には上ガイド溝（上レール部）６１と下レール部７１がそれぞれ設けられている。
【００３５】
この下レール部７１は、引戸枠４１の下端部（下枠部）に形成され且つ枠部の長手方向両端まで延びるガイド取付溝８１と、ガイド取付溝８１内に全体に沿うように嵌め込まれた下ガイドレール部材９を備えている。この下ガイドレール部材９は、上面に長手方向に延びる下ガイド溝部９ａを有する。
【００３６】
そして、引戸４１の上端部には上ガイド溝６１内に長手方向に移動可能に挿入された小幅の凸部１４ａが設けられ、引戸１４の下端部には下ガイド溝部９ａに長手方向に移動可能に係合させられた戸車１４ｂが設けられている。
【００３７】
この引戸１４を内壁３に沿う方向に上ガイド溝６１と下レール部７１にガイドさせてスライド移動させることにより、移動用開口５は引戸１４により開閉されるようになっている。
【００３８】
尚、引戸枠４１は、引戸１４の移動方向（スライド方向）の半分が内壁３により閉成され、内壁３で閉成されていない部分に開口用枠部４１ａが設けられている。
【００３９】
また、居室２の床部材２ａ上には、引戸転倒防止部品２０′が引戸枠４１の下端部（下枠部）の側方に位置させて転倒規制部として取り付けられている。この引戸転倒防止部品２０′は、移動用開口５を引戸１４で閉成したときの引戸１４と内壁３との合わせ部Ｂ１に対応する位置で且つ下レール部７１の内壁３とは反対側の側方に近接して設けられている。
【００４０】
このような構成においては、大きな地震等で建物に作用する振動等により引戸１４の下端部に側方への外力が作用することが考えられる。このような外力により引戸１４の下端部に設けた戸車１４ｂが下ガイド溝部９ａから側方に外れることもある。
【００４１】
これにより引戸１４の下端部が下レール部と直交する方向へ移動し、引戸１４が側方に傾斜しようとした場合、引戸１４の上端部に設けられた凸部１４ａが上ガイド溝６１から外れて転倒する前に、引戸１４の下端部が引戸転倒防止部品２０′に当たって止まる。この結果、引戸１４が側方に転倒するのを未然に防止できる。
【００４２】
この引戸転倒防止部品２０′は、移動用開口５を引戸１４で閉成したときの引戸１４と内壁３との合わせ部Ｂ１に対応する位置で且つ下レール部７１の内壁３とは反対側の側方に近接して設けられているので、引戸１４のスライド開閉位置がいずれにあっても引戸１４の転倒を防止できる。
【００４３】
また、引戸転倒防止部品２０′のキャップ２３は弾性部材から形成されていると共に、キャップ２３の角部はおおきなＲ状に形成されているので、利用者の足等が引戸転倒防止部品２０′に当たっても怪我をするのが未然に防止される。
【００４４】
尚、転倒規制部材である引戸転倒防止部品２０′は、引戸枠４１の下枠部(符号省略）に設けても良い。
【００４５】
また、下レール部７１はガイド取付溝８１と下ガイドレール部材９を備えている構成としたが、下ガイドレール部材９は必ずしもこれに限定されるものではない。即ち、特別な形状の下ガイドレール部材９を設けずに、ガイド取付溝８１をレール（下レール部）としても良い。
【００４６】
更に、下レール部は溝ではなく引戸枠４１の下枠部（符号省略）から上方に突出且つ下枠部（符号省略）の長手方向に延びるレール凸部とし、引戸１４の下端部に下面に開放し且つレール凸部に係合する下向きガイド凹部として、引戸１４をレール凸部と下向きガイド凹部によりスライド移動させるようにしても良い。
（補足説明１）
この発明の実施の形態の引戸転倒防止装置は、引戸枠（４，４１）の上枠部（４ａ）および下枠部（４ｂ）に上レール部（６、上ガイド溝６１）および下レール部（７、３５）がそれぞれ設けられ、引戸（第1引戸12，第2引戸13，引戸４１）の上端部および下端部が前記上レール部（６、上ガイド溝６１）および前記下レール部（７、７１）に移動可能に支持されていると共に、前記引戸（第1引戸12，第2引戸13，引戸１４）の下端部が前記下レール部（７、７１）と直交する方向に移動するのを規制させる転倒規制部材（引戸転倒防止部品２０，20′，２１）が前記下レール部（７、７１）の側方に設けられている。
【００４７】
この構成によれば、引戸（第1引戸12，第2引戸13，引戸１４）の下端部が下レール部（７、７１）と直交する方向に移動するのを防止して、引戸（第1引戸12，第2引戸13，引戸１４）が転倒するのを未然に防止できる。
（補足説明２）
この発明の実施の形態の引戸転倒防止装置は、前記引戸（引戸１４）の移動方向において前記引戸枠（４１）の半分側方が壁（内壁３）により閉成され、且つ、残りの半分の開口（移動用開口５）が前記引戸（引戸１４）により開閉可能に設けられていると共に、前記開口（移動用開口５）を前記引戸（引戸１４）で閉成したときの前記引戸（引戸１４）と前記壁（内壁３）との合わせ部に対応する位置で且つ前記下レール部（７１）の前記壁（内壁３）とは反対側の側方に前記転倒規制部材（引戸転倒防止部品20′）が設けられている。
【００４８】
この構成によれば、引戸１４の下端部が下レール部７１と直交する方向に移動するのを防止して、引戸１４が転倒するのを未然に防止できる。
（補足説明３）
この発明の実施の形態の引戸転倒防止装置は、召し合わせにより前記引戸枠（４）を閉成する複数の前記引戸（第1引戸12，第2引戸13）を備え、前記転倒規制部材（引戸転倒防止部品２０，２１）は前記複数の引戸（第1引戸12，第2引戸13）の召し合わせ部に対応して前記下レール部（７）の両側にそれぞれ設けられている。
【００４９】
この構成によれば、引戸（第1引戸12，第2引戸13）の下端部が下レール部（７）と直交する方向に移動するのを防止して、引戸（第1引戸12，第2引戸13）が転倒するのを未然に防止できる。
【００５０】
尚、上述した実施例では、召し合わせ部を有する引戸構造は２枚の第1引戸12，第2引戸13を設けた構成で説明したが、召し合わせ部を有する引戸構造としては３枚以上の複数の引戸を有する構成であってもよい。この場合にも、各引戸に対応して引戸転倒防止部品２０，２１と同様な引戸転倒防止部品を設けることで、３枚以上の各引戸が地震等の振動により転倒するのを未然に防止できる。
（補足説明４）
この発明の実施の形態の引戸転倒防止装置は、前記複数の引戸（第1引戸12，第2引戸13）は召し合わせにより前記引戸枠（４）を閉成する第１引戸１２と第２引戸１３であり、前記転倒規制部材（引戸転倒防止部品２０，２１）は前記第１引戸１２と第２引戸１３の召し合わせ部に対応して前記下レール部（７）の両側にそれぞれ設けられている。
【００５１】
この構成によれば、引戸（第1引戸12，第2引戸13）の下端部が下レール部（７）と直交する方向に移動するのを防止して、引戸（第1引戸12，第2引戸13）が転倒するのを未然に防止できる。
（補足説明５）
この発明の実施の形態の引戸転倒防止装置は、前記転倒規制部材（引戸転倒防止部品２０，20′，２１）は、前記下レール部（７、７１）の側方に位置させて床又は引戸枠に固定されたストッパ本体２２と、前記ストッパ本体２２を覆う弾性部材製のキャップ２３を備えている。
【００５２】
この構成によれば、転倒規制部材（引戸転倒防止部品２０，20′，２１）のキャップ２３は弾性部材から形成されているので、利用者の足等が転倒規制部材（引戸転倒防止部品２０，20′，２１）に当たっても怪我をするのが未然に防止される。
（補足説明６）
この発明の実施の形態の引戸転倒防止装置は、前記キャップ２３には前記下レール部（７、３５）とは反対側の部分内に位置させて空間（中空部２７）が形成されている。
【００５３】
この構成によれば、利用者の足等が転倒規制部材（引戸転倒防止部品２０，20′，２１）に当たったときに、キャップ２３が空間（中空部２７）側に撓むので、当たったときの衝撃を吸収できる。
（補足説明７）
この発明の実施の形態の引戸転倒防止装置は、前記キャップ２３はゴム又は合成樹脂から形成されている。
【００５４】
この構成によれば、転倒規制部材（引戸転倒防止部品２０，20′，２１）のキャップ２３はゴム又は合成樹脂から形成されているので、利用者の足等が転倒規制部材（引戸転倒防止部品２０，20′，２１）に当たっても怪我をするのが未然に防止される。
【符号の説明】
【００５５】
１ 居室
１ａ 床部材
２ 居室
２ａ 床部材
３ 内壁
３ａ 開口部
４ 引戸枠
４１ 引戸枠
４ａ 上枠部
４１ａ 上枠部
４ｂ 下枠部
４１ｂ 下枠部
５ 移動用開口
６ 上レール部
６１ 上ガイド溝（上レール部））
７ 下レール部
７１ 下レール部
１２ 第１引戸
１２ａ 凸部
１２ｂ 戸車
１３ 第２引戸
１３ａ 凸部
１３ｂ 戸車
１４ 引戸
２０ 引戸転倒防止部品
２０′引戸転倒防止部品
２１ 引戸転倒防止部品
２２ ストッパ本体（規制金具）
２３ キャップ
２７ 中空部
【図１】
2014005611.tif 000003
【図２】
2014005611.tif 000004
【図３】
2014005611.tif 000005
【図４】
2014005611.tif 000006
【図５】
2014005611.tif 000007
【図６】
2014005611.tif 000008
【図７】
2014005611.tif 000009
【図８】
2014005611.tif 000010
【図９】
2014005611.tif 000011
【図１０】
2014005611.tif 000012
【図１１】
2014005611.tif 000013
【図１２】
2014005611.tif 000014
【図１３】
2014005611.tif 000015
【図１４】
2014005611.tif 000016
【図１５】
2014005611.tif 000017
【図１６】
2014005611.tif 000018
【図１７】
2014005611.tif 000019
【図１８】
2014005611.tif 000020